(57)【要約】    【課題】  少ない操作手順で、第１の撮影モードより接近した被写体に焦点を合わせて撮影を行う第２の撮影モードよりも更に接近した被写体に焦点を合わせて撮影を行う第３の撮影モードの設定を行うことが可能で、また、操作者の知らないうちに第３の撮影モードに設定されるという誤操作を防ぐことが可能な画像処理装置を提供する。    【解決手段】  システム制御回路１１９は、マクロＯＮ／ＯＦＦスイッチ１２７が所定時間以上操作されていた場合のみ、スーパーマクロ撮影モード（第３の撮影モード）に切り替えるように制御する。【選択図】      図１
2006042028.tif 000002
【特許請求の範囲】
【請求項１】
第１の撮影モードと、該第１の撮影モードより接近した被写体に焦点を合わせて撮影を行う第２の撮影モードと、該第２の撮影モードよりも更に接近した被写体に焦点を合わせて撮影を行う第３の撮影モードとを行うことが可能な画像処理装置であって、
焦点を調整する焦点調整手段と、
画角を調整する画角調整手段と、
光学系を通して得られる被写体の像を電気信号に変換する光電変換手段と、
前記第１の撮影モードと第２の撮影モードと第３の撮影モードとを切り替える撮影モード切り替え手段と、
制御手段とを備え、
前記制御手段は、前記撮影モード切り替え手段が所定時間以上操作されていた場合に、前記第３の撮影モードに切り替えるように制御することを特徴とする画像処理装置。
【請求項２】
前記制御手段は、前記撮影モード切り替え手段にて前記第３の撮影モードに切り替えられた場合は、前記画角調整手段によりケラレが少ない画角に調整すると共に、前記光電変換手段により電気信号に変換された画像のうち、ケラレのない中心部分の画像を記録媒体に記録するように制御することを特徴とする請求項１に記載の画像処理装置。
【請求項３】
前記制御手段は、前記第３の撮影モード設定の際は、前記撮影モード切り替え手段が操作された時点で前記第３の撮影モードを解除し、前記第１の撮影モードに戻るように制御することを特徴とする請求項１または２に記載の画像処理装置。
【請求項４】
前記制御手段は、前記第１の撮影モード設定の際は、前記撮影モード切り替え手段が操作された場合に前記第２の撮影モードに設定し、該第２の撮影モード設定の際は、前記撮影モード切り替え手段が操作された場合に前記第１の撮影モードに設定するように制御することを特徴とする請求項１〜３のいずれかに記載の画像処理装置。
【請求項５】
第１の撮影モードと、該第１の撮影モードより接近した被写体に焦点を合わせて撮影を行う第２の撮影モードと、該第２の撮影モードよりも更に接近した被写体に焦点を合わせて撮影を行う第３の撮影モードとを行うことが可能な画像処理装置を制御する制御方法であって、
焦点を調整する焦点調整ステップと、
画角を調整する画角調整ステップと、
光学系を通して得られる被写体の像を電気信号に変換する光電変換ステップと、
前記第１の撮影モードと第２の撮影モードと第３の撮影モードとを切り替える撮影モード切り替えステップと、
制御ステップとを備え、
前記制御ステップは、前記撮影モード切り替えステップが所定時間以上実行されていた場合、前記第３の撮影モードに切り替えるように制御することを特徴とする画像処理装置の制御制御方法。
【請求項６】
前記制御ステップでは、前記撮影モード切り替えステップにて前記第３の撮影モードに切り替えられた場合は、前記画角調整ステップによりケラレが少ない画角に調整すると共に、前記光電変換ステップにより電気信号に変換された画像のうち、ケラレのない中心部分の画像を記録媒体に記録するように制御することを特徴とする請求項５に記載の画像処理装置の制御方法。
【請求項７】
前記制御ステップでは、前記第３の撮影モード設定の際は、前記撮影モード切り替えステップが実行された場合に前記第３の撮影モードを解除し、前記第１の撮影モードに戻るように制御することを特徴とする請求項５または６に記載の画像処理装置の制御方法。
【請求項８】
前記制御ステップでは、前記第１の撮影モード設定の際は、前記撮影モード切り替えステップが実行された場合に前記マクロ撮影モードに設定し、該第２の撮影モード設定の際は、前記撮影モード切り替えステップが実行された場合に前記第１の撮影モードに設定するように制御することを特徴とする請求項５〜７のいずれかに記載の画像処理装置の制御方法。
【請求項９】
請求項５〜８に記載の画像処理装置の制御方法を実現するためのコンピュータ読み取り可能なプログラムコードを有することを特徴とする制御プログラム。
【請求項１０】
請求項９に記載の制御プログラムを格納したことを特徴とする記憶媒体。
【発明の詳細な説明】
【技術分野】
【０００１】
本発明は、静止画像や動画像を撮像、記録、再生する画像処理装置、その画像処理装置を制御する制御方法、制御プログラム及びその制御プログラムを格納した記憶媒体に関する。
【背景技術】
【０００２】
従来、固体メモリ素子を有するメモリカードを記録媒体として、静止画像や動画像を記録再生する電子カメラ等の画像処理装置は既に市販されている。
【０００３】
また、被写体に近づいて接写撮影を行うためのマクロ撮影モードを備えたデジタルカメラやデジタルビデオカメラ等の電子カメラも販売されている。
【０００４】
これらの電子カメラにおいては、装着されている撮影レンズによっては、所定の距離よりもレンズに近い被写体に焦点を合わせると、レンズの周辺部に光が入らなくなるケラレが発生する。
【０００５】
そのため、通常は、最短撮影距離をケラレが発生しない距離に決定する。
【０００６】
従来のデジタルカメラ等の画像処理装置では、ケラレが発生しない部分のみを記録することにより、マクロ撮影モードよりも更に被写体に接近して撮影を行うことが可能なスーパーマクロ撮影モードを備えるものもある。
【０００７】
デジタルカメラ等の画像処理装置の使用者は、図１１に示すような撮影メニューを表示して、撮影メニュー中のスーパーマクロ撮影モードの項目を選択することによって、スーパーマクロ撮影モードの設定を行う（例えば、非特許文献１参照）。
【０００８】
図１１は、一般的なデジタルカメラの構成を示す背面図であり、同図において１１００はデジタルカメラの筐体、１１０１はシャッタボタン、１１０２はマクロボタン、１１０３は光学ファインダ、１１０４はメニューボタン、１１０５は方向選択ボタン、１１０６はセットボタン、１１０７は画像表示部である。
【０００９】
スーパーマクロ撮影モードの設定を行う手順は、以下の通りである。
（１）メニューボタン１１０４を押下して、画像表示部１１０７に図１１に示すような撮影メニューを表示する。
（２）方向選択ボタン１１０５の下方向ボタンを複数回押下して、スーパーマクロ撮影モードの項目を選択する。
（３）スーパーマクロ撮影モードを選択した状態で、セットボタン１１０６を押下する。
【００１０】
メニューボタン１１０４、方向選択ボタン１１０５、セットボタン１１０６等の操作ボタンを複数回操作することにより、スーパーマクロ撮影モードの設定を行うことが可能である。
【００１１】
スーパーマクロ撮影モードは特殊な撮影モードであるため、操作者が知らないうちにスーパーマクロ撮影モードに設定されるという誤操作を防ぐために、複数回の操作を行わなければスーパーマクロ撮影モードを設定できないようになっている。
【非特許文献１】「キヤノン株式会社  キヤノンデジタルカメラＰｏｗｅｒＳｈｏｔＰｒｏ１カメラユーザーガイド」、２００４、Ｐ７５
【発明の開示】
【発明が解決しようとする課題】
【００１２】
従来のデジタルカメラ等の画像処理装置のように、撮影メニューを画像表示部１１０７に表示して、撮影メニュー中のスーパーマクロ撮影モードの項目を選択することによりスーパーマクロ撮影モードの設定を行う方法は、操作ボタンを複数回操作する必要があり、その操作手順が多いという問題点があり、少ない操作手順で、スーパーマクロ撮影モードの設定を行いたいという要望があった。
【００１３】
本発明の目的は、少ない操作手順で、第１の撮影モードより接近した被写体に焦点を合わせて撮影を行う第２の撮影モードよりも更に接近した被写体に焦点を合わせて撮影を行う第３の撮影モードの設定を行うことが可能で、また、操作者の知らないうちに第３の撮影モードに設定されるという誤操作を防ぐことが可能な画像処理装置、画像処理装置の制御方法、制御プログラム及び記憶媒体を提供することである。
【課題を解決するための手段】
【００１４】
上記目的を達成するために本発明の画像処理装置は、第１の撮影モードと、該第１の撮影モードより接近した被写体に焦点を合わせて撮影を行う第２の撮影モードと、該第２の撮影モードよりも更に接近した被写体に焦点を合わせて撮影を行う第３の撮影モードとを行うことが可能な画像処理装置であって、焦点を調整する焦点調整手段と、画角を調整する画角調整手段と、光学系を通して得られる被写体の像を電気信号に変換する光電変換手段と、前記第１の撮影モードと第２の撮影モードと第３の撮影モードとを切り替える撮影モード切り替え手段と、制御手段とを備え、前記制御手段は、前記撮影モード切り替え手段が所定時間以上操作されていた場合に、前記第３の撮影モードに切り替えるように制御することを特徴とする。
【００１５】
また、上記目的を達成するために本発明の画像処理装置の制御方法は、第１の撮影モードと、該第１の撮影モードより接近した被写体に焦点を合わせて撮影を行う第２の撮影モードと、該第２の撮影モードよりも更に接近した被写体に焦点を合わせて撮影を行う第３の撮影モードとを行うことが可能な画像処理装置を制御する制御方法であって、焦点を調整する焦点調整ステップと、画角を調整する画角調整ステップと、光学系を通して得られる被写体の像を電気信号に変換する光電変換ステップと、前記第１の撮影モードと第２の撮影モードと第３の撮影モードとを切り替える撮影モード切り替えステップと、制御ステップとを備え、前記制御ステップは、前記撮影モード切り替えステップが所定時間以上実行されていた場合、前記第３の撮影モードに切り替えるように制御することを特徴とする
。
【発明の効果】
【００１６】
本発明によれば、より少ない操作手順で第３の撮影モードの設定を行うことが可能となり、また、撮影モード切り替え手段を長く操作しなければ、第３の撮影モードを設定することができないので、操作者の知らないうちに第３の撮影モードに設定される等の誤操作を防ぐことが可能となる。
【発明を実施するための最良の形態】
【００１７】
以下、本発明の画像処理装置、画像処理装置の制御方法、制御プログラム及び記憶媒体の実施の形態を図面に基づき説明する。
【００１８】
（第１の実施の形態）
まず、第１の実施の形態を図１〜図１０に基づき説明する。
【００１９】
図１は、本実施の形態に係る画像処理装置の構成を示すブロック図であり、同図において、１００は画像処理装置、１０１はズームレンズ(画角調整手段)、１０２はフォーカスレンズ(焦点調整手段)、１０３はシャッタで、絞り機能を備えている。１０４は撮像素子（撮像手段）で、光学像を電気信号に変換するものである。１０５はＡ／Ｄ変換器で、撮像素子１０４のアナログ信号出力をデジタル信号に変換するものである。１０６はタイミング発生回路で、撮像素子１０４、Ａ／Ｄ変換器１０５、後述するＤ／Ａ変換器１１０にクロック信号や制御信号を供給するものであり、後述するメモリ制御回路１０８及びシステム制御回路１１９により制御される。
【００２０】
１０７は画像処理回路で、Ａ／Ｄ変換器１０５からのデータ或いは後述するメモリ制御回路１０８からのデータに対して所定の画素補間処理や色変換処理等を行うものである。また、画像処理回路１０７においては、撮像した画像データを用いて所定の演算処理を行い、得られた演算結果に基づいて後述するシステム制御回路１１９が露光制御手段１１４、測距制御手段１１５に対して制御を行う、ＴＴＬ（スルー・ザ・レンズ）方式のＡＦ（オートフォーカス）処理、ＡＥ（自動露出）処理、ＥＦ（フラッシュプリ発光）処理等を行うものである。更に、画像処理回路１０７においては、撮像した画像データを用いて所定の演算処理を行い、得られた演算結果に基づいてＴＴＬ方式のＡＷＢ（オートホワイトバランス）処理を行うものである。
【００２１】
１０８はメモリ制御回路で、Ａ／Ｄ変換器１０５、タイミング発生回路１０６、画像処理回路１０７、後述する画像表示メモリ１０９、Ｄ／Ａ変換器１１０、メモリ１１２、圧縮／伸長回路１１３を制御するものである。Ａ／Ｄ変換器１０５のデータが画像処理回路１０７、メモリ制御回路１０８を介して、或いはＡ／Ｄ変換器１０５のデータが直接メモリ制御回路１０８を介して、後述する画像表示メモリ１０９或いはメモリ１１２に書き込まれる。１０９は画像表示メモリ、１１０はＤ／Ａ変換器である。
【００２２】
１１１はＴＦＴ−ＬＣＤ（薄膜トランジスタ−液晶ディスプレイ）等から成る画像表示部で、画像表示メモリ１０９に書き込まれた表示用の画像データは、Ｄ／Ａ変換器１１０を介して画像表示部１１１により表示される。撮像した画像データを画像表示部１１１を用いて逐次表示すれば、電子ファインダ機能を実現することが可能である。また、画像表示部１１１は、後述するシステム制御回路１１９の指示により任意に表示をＯＮ／ＯＦＦすることが可能であり、表示をＯＦＦにした場合には、画像処理装置１００の電力消費を大幅に低減することができる。
【００２３】
１１２はメモリで、撮影した静止画像や動画像を格納するための記憶手段であり、所定枚数の静止画像や所定時間の動画像を格納するのに十分な記憶容量を備えている。これにより、複数枚の静止画像を連続して撮影する連射撮影やパノラマ撮影の場合にも、高速且つ大量の画像書き込みをメモリ１１２に対して行うことが可能となる。また、メモリ１１２は、後述するシステム制御回路１１９の作業領域としても使用することが可能である。１１３は圧縮／伸長回路で、適応離散コサイン変換（ＡＤＣＴ）等により画像データを圧縮伸長するものであり、メモリ１１２に格納された画像を読み込んで圧縮処理或いは伸長処理を行い、その処理を終えたデータをメモリ１１２に書き込むようになっている。
【００２４】
１１４は露光制御手段で、シャッタ１０３を制御するものであり、後述するフラッシュ１１８と連携することによりフラッシュ調光機能をも有するものである。
【００２５】
１１５は測距制御手段(焦点調整手段)で、フォーカスレンズ１０２のフォーカシングを制御するものである。１１６はズーム制御手段(画角調整手段)で、ズームレンズ１０１のズーミングを制御するものである。１１７はバリア制御手段で、後述するバリアである保護手段１３９の動作を制御するものである。１１８はフラッシュで、ＡＦ補助光の投光機能、フラッシュ調光機能をも有する。露光制御手段１１４、測距制御手段１１５は、ＴＴＬ方式を用いて制御されており、撮像した画像データを画像処理回路１０７によって演算した演算結果に基づき、後述するシステム制御回路１１９が露光制御手段１１４、測距制御手段１１５に対して制御を行うようになっている。
【００２６】
１１９はシステム制御回路(制御手段)で、画像処理装置１００全体を制御するものである。１２０はメモリで、システム制御回路１１９の動作用の定数、変数、プログラム等を記憶する記憶手段である。１２１は表示部で、システム制御回路１１９でのプログラムの実行に応じて、文字、画像、音声等を用いて動作状態やメッセージ等を表示するもので、液晶表示装置、スピーカ等から成る。表示部１２１は、画像処理装置１００の操作部近辺の視認し易い位置に単数或いは複数個所設置され、例えば、ＬＣＤ（液晶ディスプレイ）やＬＥＤ（発光ダイオード）、発音素子等の組み合わせにより構成されている。また、表示部１２１は、その一部の機能が後述する光学ファインダ１４０内に設置されている。
【００２７】
表示部１２１の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、後述する記録媒体２００及び２１０の着脱状態表示、通信Ｉ／Ｆ（インタフェース）動作表示、日付け／時刻表示等がある。また、表示部１２１の表示内容のうち、後述する光学ファインダ１４０内に表示するものとしては、合焦表示、手振れ警告表示、フラッシュ充電表示、シャッタスピード表示、絞り値表示、露出補正表示等がある。
【００２８】
１２２は不揮発性メモリで、電気的に消去・記録可能な記録手段であり、例えば、ＥＥＰＲＯＭ（電気的消去型プログラマブルリードオンリーメモリ）等が用いられる。
【００２９】
１２３，１２４，１２５，１２６，１２７，１２８，１２９は操作手段で、システム制御回路１１９の各種の動作指示を入力するためのものであり、スイッチやダイアル、タッチパネル、視線検知によるポインティング、音声認識装置等の単数或いは複数の組み合わせで構成される。
【００３０】
ここで、これらの操作手段の具体的な説明を行う。
【００３１】
１２３はモードダイアルスイッチで、電源オフ、自動撮影モード、撮影モード、パノラマ撮影モード、再生モード、マルチ画面再生／消去モード、ＰＣ（パーソナルコンピュータ）接続モード等の各機能モードを切り替え設定することができる。１２４は第１のシャッタスイッチ（ＳＷ１）で、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３２】
１２５は第２のシャッタスイッチ（ＳＷ２）で、不図示のシャッタボタンの操作完了でＯＮとなり、撮像素子１０４から読み出した信号をＡ／Ｄ変換器１０５、メモリ制御回路１０８を介してメモリ１１２に画像データを書き込む露光処理、画像処理回路１０７やメモリ制御回路１０８での演算を用いた現像処理、メモリ１１２から画像データを読み出し、圧縮／伸長回路１１３で圧縮処理を行い、後述する記録媒体２００或いは２１０に画像データを書き込む記録処理という一連の処理の動作開始を指示する。
【００３３】
１２６は画像表示ＯＮ／ＯＦＦスイッチで、画像表示部１１１のＯＮ／ＯＦＦを設定することができる。この機能により、後述する光学ファインダ１４０を用いて撮影を行う際に、画像表示部１１１への電流供給を遮断することにより、省電力を図ることが可能となる。１２７はマクロＯＮ／ＯＦＦボタン（撮影モード切り替え手段）で、フォーカスレンズ１０２を動かすと共に、測距範囲を切り替えることができる。１２８は各種ボタンやタッチパネル等からなる操作部で、メニューボタン、セットボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。１２９はズームレバーで、ズームレンズ１０１を動かすことができる。ズームレンズ１０１を動かすことによって、撮影画像の画角を変更することができる。
【００３４】
１３０は電源制御手段で、電池検出回路、ＤＣ−ＤＣコンバータ、通電するブロックを切り替えるスイッチ回路等により構成されており、電池の装着の有無、電池の種類、電池残量の検出を行い、その検出結果及びシステム制御回路１１９の指示に基づいてＤＣ−ＤＣコンバータを制御し、必要な電圧を必要な期間、後述する記録媒体２００，２１０を含む各部へ供給する。１３１はコネクタ、１３２はコネクタ、１３３は電源手段で、アルカリ電池やリチウム電池等の一次電池やＮｉＣｄ電池やＮｉＭＨ電池、Ｌｉ電池等の二次電池、ＡＣアダプタ等から成る。
【００３５】
１３４，１３５は後述する記録媒体２００，２１０とのインタフェース、１３６，１３７は後述する記録媒体２００，２１０と接続を行うコネクタ、１３８は記録媒体着脱検知手段で、コネクタ１３６，１３７に後述する記録媒体２００，２１０が装着されているか否かを検知するものである。
【００３６】
なお、本実施の形態では、後述する記録媒体２００，２１０を取り付けるインタフェース及びコネクタを２系統持つものとして説明している。勿論、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００３７】
インタフェース１３４，１３５及びコネクタ１３６，１３７としては、ＰＣＭＣＩＡカードやＣＦ（コンパクトフラッシュ（登録商標））カード等の規格に準拠したものを用いて構成して構わない。
【００３８】
更に、インタフェース１３４，１３５、コネクタ１３６，１３７をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３９】
１３９は保護手段で、画像処理装置１００のズームレンズ１０１やフォーカスレンズ１０２を含む撮像部を覆うことにより、該撮像部の汚れや破損を防止するものである。１４０は光学ファインダで、画像表示部１１１による電子ファインダ機能を使用すること無しに、光学ファインダ１４０のみを用いて撮影を行うことが可能である。また、光学ファインダ１４０内には、表示部１２１の一部の機能、例えば、合焦表示、手振れ警告表示、フラッシュ充電表示、シャッタスピード表示、絞り値表示、露出補正表示等が設置されている。１４１は通信手段で、ＲＳ２３２ＣやＵＳＢ、ＩＥＥＥ１３９４、Ｐ１２８４、ＳＣＳＩ、モデム、ＬＡＮ（ローカルエリアネットワーク）、無線通信等の各種通信機能を有する。１４２はコネクタ（或いは無線通信の場合はアンテナ）で、通信手段１４１により画像処理装置１００を他の機器と接続するものである。
【００４０】
２００は第１の記録媒体で、メモリカードやハードディスク等から成る。第１の記録媒体２００は、半導体メモリや磁気ディスク等から構成される記録部２０１、画像処理装置１００とのインタフェース２０２、画像処理装置１００と接続を行うコネクタ２０３を備えている。２１０は第２の記録媒体で、メモリカードやハードディスク等から成る。第２の記録媒体２１０は、半導体メモリや磁気ディスク等から構成される記録部２１１、画像処理装置１００とのインタフェース２１２、画像処理装置１００と接続を行うコネクタ２１３を備えている。
【００４１】
次に、本実施の形態に係る画像処理装置１００の動作を、図１及び図２を参照して説明する。
【００４２】
図２は本実施の形態に係る画像処理装置１００の主ルーチンのフローチャートである。
【００４３】
まず、ステップＳ２０１で、電池交換等の電源投入により、システム制御回路１１９は、フラグや制御変数等を初期設定し、次のステップＳ２０２で、画像表示部１１１の画像表示をＯＦＦ状態に設定する。次に、ステップＳ２０３で、システム制御回路１１９は、モードダイアル１２３の設定位置を判断する。そして、モードダイアル１２３が電源ＯＦＦに設定されていると判断された場合は、ステップＳ２０５へ進んで、所定の終了処理を行った後、前記ステップＳ２０３へ戻る。
【００４４】
前記ステップＳ２０５における所定の終了処理とは、具体的には、各表示部の表示を終了状態に変更し、保護手段１３９のバリアを閉じて撮像部を保護し、フラグや制御変数等を含む必要なパラメータや設定値、設定モードを不揮発性メモリ１２２に記録し、電源制御手段１３０により画像表示部１１１を含む画像処理装置１００各部の不要な電源を遮断する等の処理である。
【００４５】
また、前記ステップＳ２０３において、モードダイアル１２３がその他のモードに設定されていると判断された場合は、ステップＳ２０４へ進んで、システム制御回路１１９は、選択されたモードに応じた処理を実行した後、前記ステップＳ２０３へ戻る。
【００４６】
更に、前記ステップＳ２０３において、モードダイアル１２３が撮影モードに設定されていると判断された場合は、ステップＳ２０６へ進んで、システム制御回路１１９は、電源制御手段１３０により電池等により構成される電源手段１３３の残容量や動作情況が画像処理装置１００の動作に問題が有るか否か（電池ＯＫであるか否か）を判断する。そして、問題が有ると判断された場合は、ステップＳ２０８へ進んで、表示部１２１を用いて画像や音声により所定の警告表示を行った後、前記ステップＳ２０３へ戻る。
【００４７】
一方、前記ステップＳ２０６において、電源手段１３３に問題が無いと判断された場合は、次のステップＳ２０７へ進んで、システム制御回路１１９は、記録媒体２００或いは２１０の動作状態が画像処理装置１００の動作、特に記録媒体２００，２１０に対する画像データの記録再生動作に問題が有るか否か（記録媒体ＯＫか否か）を判断する。そして、記録媒体２００或いは２１０の動作状態に問題が有ると判断された場合は、前記ステップＳ２０８へ進んで、表示部１２１を用いて画像や音声により所定の警告表示を行った後、前記ステップＳ２０３へ戻る。
【００４８】
一方、前記ステップＳ２０７において、記録媒体２００或いは２１０の動作状態に問題が無いと判断された場合は、次のステップＳ２０９へ進んで、表示部１２１を用いて画像や音声により画像処理装置１００の各種設定状態の表示を行う。
【００４９】
なお、画像表示部１１１の画像表示がＯＮであったならば、画像表示部１１１も用いて画像や音声により画像処理装置１００の各種設定状態の表示を行う。
【００５０】
次に、ステップＳ２１０へ進んで、システム制御回路１１９は、画像表示部１１１の画像表示をＯＮ状態に設定し、次のステップＳ２１１で、撮像した画像データを逐次表示するスルー表示状態に設定した後、次のステップＳ２１２へ進む。
【００５１】
前記ステップＳ２１１におけるスルー表示状態においては、撮像素子１０４、Ａ／Ｄ変換器１０５、画像処理回路１０７、メモリ制御回路１０８を介して、画像表示メモリ１０９に逐次書き込まれたデータを、メモリ制御回路１０８、Ｄ／Ａ変換器１１０を介して画像表示部１１１により逐次表示することにより、電子ファインダ機能を実現している。
【００５２】
ステップＳ２１２では、システム制御回路１１９は、マクロＯＮ／ＯＦＦスイッチ１２７が押下されたか否かを判断する。そして、マクロＯＮ／ＯＦＦスイッチ１２７が押下されたと判断された場合は、ステップＳ２１３へ進んで、通常撮影モード（第１の撮影モード）より接近した被写体に焦点を合わせて撮影を行うマクロ撮影モード（第２の撮影モード）処理を行った後、次のステップＳ２１４へ進む。
【００５３】
なお、前記ステップＳ２１３におけるマクロ撮影モード処理の詳細については、図３〜図８を用いて後述する。
【００５４】
一方、前記ステップＳ２１２において、マクロＯＮ／ＯＦＦスイッチ１２７が押下されないと判断された場合は、前記ステップＳ２１３をスキップしてステップＳ２１４へ進む。
【００５５】
ステップＳ２１４では、シャッタスイッチＳＷ１，ＳＷ２の状態を判定し、シャッタスイッチＳＷ１，ＳＷ２が押下されたと判断された場合は、ステップＳ２１５へ進んで、撮影／記録処理を行った後、前記ステップＳ２１４へ戻る。
【００５６】
なお、前記ステップＳ２１５における撮影／記録処理の詳細は広く知られており、ここでは特に説明しない。
【００５７】
一方、前記ステップＳ２１４において、シャッタスイッチＳＷ１，ＳＷ２が押下されないと判断された場合は、前記ステップＳ２０３へ戻る。
【００５８】
次に、図２のステップＳ２１３におけるマクロ撮影モード処理について、図３〜図８を用いて説明する。
【００５９】
図３は、通常撮影モードより接近した被写体に焦点を合わせて撮影を行うマクロ撮影モードより更に接近した被写体に焦点を合わせて撮影を行うスーパーマクロ撮影モード（第３の撮影モード）域／通常撮影モードより接近した被写体に焦点を合わせて撮影を行うマクロ撮影モード（第２の撮影モード）域／通常撮影モード（第１の撮影モード）域での測距範囲を説明する図である。
【００６０】
スーパーマクロ撮影モード域は３ｃｍ〜３０ｃｍ、マクロ撮影モード域は３０ｃｍ〜５０ｃｍ、通常撮影モード域は５０ｃｍ〜無限遠を測距範囲とする。勿論、カメラの特性に合わせて、測距範囲を変えても問題は無い。
【００６１】
図４は、撮像素子１０４のうち、スーパーマクロ撮影モード時に記録される領域及び非スーパーマクロ撮影モード時（マクロ撮影モード及び通常撮影モード）時に記録される領域を説明する図であり、同図において、１０４は撮像素子、４０１はスーパーマクロ撮影モード時に記録される領域、４０２は非スーパーマクロ撮影モード時に記録される領域である。
【００６２】
スーパーマクロ撮影モード時には、非スーパーマクロ撮影モード（通常撮影モード及びマクロ撮影モード）時よりも小さな領域の画像信号が記録される。最至近の被写体に焦点を合わせると、撮像素子１０４の周辺部に光が入らなくなるケラレが発生する。そのため、撮像素子１０４の画像信号のうち、ケラレの発生しない中心部分の画像信号だけを記録する。また、電子ファインダ表示も、ケラレの発生しない範囲の画像のみを表示する。
【００６３】
撮像素子１０４の一部分を拡大して表示する機能は、電子ズームとして広く知られている。また、撮像素子１０４の一部分の画像信号のみを記録する方法も、電子ズームと合わせて広く知られている。撮像素子１０４のうち、ケラレが発生しない範囲は、予め不揮発性メモリ１２２に記憶しておく。
【００６４】
図５は、ズーム位置とケラレとの関係を説明する図であり、同図においては、広角側（Ｗ）と望遠側（Ｔ）とでケラレが大きいことを示している。
【００６５】
今、ズームレンズ１０１のズーム位置が、図５（ｂ）の黒丸で示した位置であったとする。このときに、使用者によりスーパーマクロ撮影モードが設定された場合は、ケラレが小さい図８（ｃ）の黒丸で示した位置までズームレンズ１０１を移動する。ズームレンズ１０１の特性に合わせて、ケラレが小さい範囲を予め不揮発性メモリ１２２に記憶しておく。システム制御回路１１９は、不揮発性メモリ１２２に記憶されているケラレが小さい範囲のうち、現在のズーム位置に最も近いズーム位置までズームレンズ１０１を移動する。
【００６６】
図６は、図２のステップＳ２１３におけるマクロ撮影モード処理動作の流れを示すフローチャートである。
【００６７】
まず、ステップＳ６０１で、システム制御回路１１９は、現在のマクロ撮影モードの設定を判定するために、マクロフラグの状態を調べる。そして、マクロフラグがＯＦＦであれば、測距範囲は通常であり、また、マクロフラグがマクロであれば、測距範囲はマクロであり、また、マクロフラグがスーパーマクロであれば、測距範囲はスーパーマクロである。
【００６８】
前記ステップＳ６０１において、マクロフラグがＯＦＦであると判断された場合は、ステップＳ６０２へ進んで、測距範囲をマクロにする処理を行う。即ち、システム制御回路１１９は、マクロフラグをマクロにし、次のステップＳ６０３で、フォーカスレンズ１０２をマクロの位置に移動した後、ステップＳ６０８へ進む。フォーカスレンズ１０２をマクロの位置に移動する際には、フォーカスレンズ１０２レンズの特性に合わせて移動すればよい。例えば、フォーカスレンズ１０２の先端から４０ｃｍの距離にある被写体に焦点を合わせるように移動しても良い。
【００６９】
また、前記ステップＳ６０１において、マクロフラグがマクロであると判断された場合は、ステップＳ６０４へ進んで、測距範囲を通常にする処理を行う。即ち、システム制御回路１１９は、ステップＳ６０４でマクロフラグをＯＦＦにして、次のステップＳ６０５で、フォーカスレンズ１０２を通常の位置に戻した後、ステップＳ６０８へ進む。フォーカスレンズ１０２を通常の位置に戻す際には、フォーカスレンズ１０２の特性に合わせて移動すれば良い。例えば、無限遠の被写体に焦点を合わせるように移動しても良い。
【００７０】
更に、前記ステップＳ６０１において、マクロフラグがスーパーマクロであると判断された場合は、ステップＳ６０６へ進んで、測距範囲を通常にする処理を行う。即ち、システム制御回路１１９は、ステップＳ６０６でマクロフラグをＯＦＦにして、次のステップＳ６０７でスーパーマクロ解除処理を行った後、本処理動作を終了する。
【００７１】
なお、前記ステップＳ６０７におけるスーパーマクロ解除処理の詳細については、図８を用いて後述する。
【００７２】
ステップＳ６０８では、システム制御回路１１９は、マクロＯＮ／ＯＦＦスイッチ１２７が放された（ＯＦＦ）か否かを判断する。そして、マクロＯＮ／ＯＦＦスイッチ１２７が放されたと判断された場合は、本処理動作を終了する。
【００７３】
一方、前記ステップＳ６０８において、マクロＯＮ／ＯＦＦスイッチ１２７が押し続けられていると判断された場合は、ステップＳ６０９へ進む。
【００７４】
ステップＳ６０９では、マクロＯＮ／ＯＦＦスイッチ１２７が所定時間以上押し続けられているか否かを判断する。そして、マクロＯＮ／ＯＦＦスイッチ１２７が所定時間以上押し押し続けられていないと判断された場合は、前記ステップＳ６０８へ戻る。所定時間以上というのは、どのような時間でも構わない。例えば、１秒としても良い。
【００７５】
一方、前記ステップＳ６０９において、マクロＯＮ／ＯＦＦスイッチ１２７が所定時間以上、押し続けられていると判断された場合は、ステップＳ６１０へ進んで、マクロフラグをスーパーマクロに設定した後、次のステップＳ６１１で、測距範囲をスーパーマクロにするスーパーマクロ処理を行った後、本処理動作を終了する。
【００７６】
なお、前記ステップＳ６１１におけるスーパーマクロ処理の詳細については、図７を用いて後述する。
【００７７】
以上説明したように、スーパーマクロ撮影モードを設定する場合は、マクロＯＮ／ＯＦＦスイッチ１２７を長押しする必要があるため、誤ってスーパーマクロ撮影モードを設定することを防止することが可能となる。
【００７８】
一方、スーパーマクロ撮影モードを解除する場合は、マクロＯＮ／ＯＦＦスイッチ１２７を押下した時点でスーパーマクロ撮影モードが解除されるため、直ちに通常撮影モードの設定に戻すことが可能となる。また、電子ズーム処理を伴わないマクロ撮影モードを設定する場合は、マクロＯＮ／ＯＦＦスイッチ１２７をを長押しすることなく、マクロ撮影モードを設定することが可能となる。
【００７９】
図７は、図６のステップＳ６１１におけるスーパーマクロ処理動作の流を示すフローチャートである。
【００８０】
まず、ステップＳ７０１で、システム制御回路１１９は、電子ズームにすることによって、撮像した画像データのうちケラレの発生しない部分のみを画像表示部１１１に逐次表示する。次に、ステップＳ７０２で、システム制御回路１１９は、現在のズーム位置を取得し、次のステップＳ７０３で、現在のズーム位置がケラレが大きいズーム位置か否かを判断する。そして、現在のズーム位置がケラレが大きいズーム位置ではないと判断された場合は、本処理動作を終了する。
【００８１】
一方、前記ステップＳ７０３において、現在のズーム位置がケラレが大きいズーム位置であると判断された場合は、ステップＳ７０４へ進んで、ケラレが小さい領域のうち現在のズーム位置に最も近い位置にズームレンズ１０１を移動する。次に、ステップＳ７０５で、システム制御回路１１９は、フォーカスレンズ１０２を至近側に、即ち、スーパーマクロの位置に移動した後、本処理動作を終了する。
【００８２】
前記ステップＳ７０５において、フォーカスレンズ１０２を至近側に移動する際には、フォーカスレンズ１０２レンズの特性に合わせて移動すれば良い。例えば、フォーカスレンズ１０２の先端から５ｃｍの距離にある被写体に焦点を合わせるように移動しても良い。
【００８３】
図８は、図６のステップＳ６０７におけるスーパーマクロ解除処理動作の流を示すフローチャートである。
【００８４】
まず、ステップＳ８０１で、システム制御回路１１９は、フォーカスレンズ１０２を通常の位置に戻す。フォーカスレンズ１０２を通常の位置に戻すことによって、撮像素子１０４の周辺部のケラレが発生しなくなるので、次のステップＳ８０２で、システム制御回路１１９は、電子ズームを解除した後、本処理動作を終了する。
【００８５】
図９は、本実施の形態に係る画像処理装置１００における画像表示部１１１に表示するズームバーの表示例を示す図であり、同図において、Ｗはワイド端（広角）、Ｔはテレ端（望遠）であることを表現している。ズームバーは、現在のズーム位置を表すために表示するものである。
【００８６】
図９（ａ）は、ズームバーを表示した画像表示部１１１の表示画面を、図９（ｂ）は、通常撮影モードに設定した場合のズームバーの表示例、即ち、テレ端の近くにズームレンズ１０１が位置している場合のズームバーの表示例を、図９（ｃ）は、図９（ｂ）の状態からマクロ撮影モードに設定した場合のズームバーの表示例を、それぞれ示している。
【００８７】
システム制御回路１１９は、ズームレバー１２９が操作された場合は、ズームレンズ１０１を駆動させると共に、図９（ａ）に示すようなズームバーを画像表示部１１１に表示する。
【００８８】
今、マクロ撮影モードの設定がＯＦＦの状態で、図９（ｂ）に示すようなズームバーを画像表示部１１１に表示していたとする。この状態で、マクロ撮影モードの設定をＯＮにすると、光学ズーム（ズームレンズ１０１）がケラレの発生し難い範囲のうち、最も望遠（テレ端）側の位置に移動すると共に、図９（ｃ）に示すようなズームバーを画像表示部１１１に表示する。
【００８９】
図９（ｃ）においては、ケラレの発生し難い範囲のうち最も広角側をテレ端として、ケラレの発生し難い範囲のうち最も望遠側をワイド端として表示している。
【００９０】
図９（ｂ）の状態でマクロ撮影モードの設定をＯＮにすると、光学ズーム（ズームレンズ１０１）がケラレの発生し難い範囲のうち、最も望遠側に移動するので、テレ端として表示される。
【００９１】
システム制御回路１１９は、マクロ撮影モード設定時にズームレバー１２９が操作された場合は、ケラレの発生し難い範囲でのみズームレンズ１０１の駆動を許可する。
【００９２】
図１０は、画像表示部１１１に表示するズームバーの表示例を示す図であり、同図において、Ｗはワイド端（広角）、Ｔはテレ端（望遠）であることを表現している。
【００９３】
図１０（ａ）は、通常撮影モードに設定した場合のズームバーの表示例を、図１０（ｂ）は、図１０（ａ）の状態からマクロ撮影モードに設定した場合のズームバーの表示例を、それぞれ示している。
【００９４】
今、マクロ撮影モードの設定がＯＦＦの状態で、図１０（ａ）に示すようなズームバーを画像表示部１１１に表示していたとする。この状態で、マクロ撮影モードの設定をＯＮにすると、図１０（ｂ）に示すようなズームバーを画像表示部１１１に表示する。
【００９５】
図１０（ｂ）に示すズームバーの表示例のうち、▽はケラレの発生し難い範囲を表している。マクロ撮影モード時はケラレの発生し難い範囲でのみ光学ズーム（ズームレンズ１０１）が移動する。マクロ撮影モード時に光学ズーム（ズームレンズ１０１）が移動しない範囲（ケラレが大きい範囲）は、例えば、黄色で塗り潰すことにより、光学ズーム（ズームレンズ１０１）が移動しないことを表現している。
【００９６】
本実施の形態では、マクロ撮影モード時に光学ズーム（ズームレンズ１０１）が移動しない範囲を黄色で塗り潰しているが、塗りつぶす色は、どのような色でも構わない。例えば、青、赤、緑等の識別可能な色であれば、どのような色でも構わない。また、色で塗り潰す代わりに、縞模様等にしても良い。
【００９７】
また、本実施の形態では、画像表示部１１１を必ずＯＮにするものとして説明を行ったが、画像表示ＯＮ／ＯＦＦスイッチ１２６により、画像表示部１１１のＯＮ／ＯＦＦを可能なように構成しても構わない。また、画像表示部１１１をＯＦＦにするとマクロ撮影モードを解除すると共に、画像表示部１１１がＯＦＦの場合はマクロ撮影モードの設定を許可しないように構成しても良い。
【００９８】
また、画像表示部１１１がＯＦＦの場合は、電子ファインダ、ズームバーが表示されないため、マクロ撮影モードの設定になっていることが使用者には分からない。そのため、画像表示部１１１がＯＦＦの場合には、マクロ撮影を行わないようにすることによって、誤操作を防ぐことが可能となる。
【００９９】
（その他の実施の形態）
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【０１００】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【０１０１】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１０２】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【０１０３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【図面の簡単な説明】
【０１０４】
【図１】第１の実施の形態に係る画像処理装置の構成を示すブロック図である。
【図２】第１の実施の形態に係る画像処理装置の主ルーチンのフローチャートである。
【図３】第１の実施の形態に係る画像処理装置におけるスーパーマクロ撮影モード域／マクロ撮影モード域／通常撮影モード域での測距範囲を説明する図である。
【図４】第１の実施の形態に係る画像処理装置における撮像素子の記録領域を説明するための図である。
【図５】第１の実施の形態に係る画像処理装置におけるズーム位置とケラレとの関係を説明する図である。
【図６】第１の実施の形態に係る画像処理装置におけるマクロ処理動作の流れを示すフローチャートである。
【図７】第１の実施の形態に係る画像処理装置におけるスーパーマクロ処理動作の流れを示すフローチャートである。
【図８】第１の実施の形態に係る画像処理装置におけるスーパーマクロ解除処理動作の流れを示すフローチャートである。
【図９】第１の実施の形態に係る画像処理装置におけるズームバーの表示例を示す図である。
【図１０】第１の実施の形態に係る画像処理装置におけるズームバーの図9とは異なる表示例を示す図である。
【図１１】従来の画像処理装置の背面図である。
【符号の説明】
【０１０５】
１００    画像処理装置
１０１    ズームレンズ（画角調整手段）
１０２    フォーカスレンズ（焦点調整手段）
１０４    撮像素子（撮像手段）
１１４    露光制御手段（撮像手段）
１１５    測距制御手段（焦点調整手段）
１１６    ズーム制御手段（画角調整手段）
１１９    システム制御回路（制御手段）
１２７    マクロＯＮ／ＯＦＦスイッチ（撮影モード切り替え手段）
２００    第１の記録媒体
２０１    記録部
２０２    インタフェース
２０３    コネクタ
２１０    第２の記録媒体
２１１    記録部
２１２    インタフェース
２１３    コネクタ
【図１】
2006042028.tif 000003
【図２】
2006042028.tif 000004
【図３】
2006042028.tif 000005
【図４】
2006042028.tif 000006
【図５】
2006042028.tif 000007
【図６】
2006042028.tif 000008
【図７】
2006042028.tif 000009
【図８】
2006042028.tif 000010
【図９】
2006042028.tif 000011
【図１０】
2006042028.tif 000012
【図１１】
2006042028.tif 000013